(57)【要約】【課題】温水タンク内の内圧を速やかに低下させることができ、切替弁がスムーズに動作する温水洗浄装置を提供する。【解決手段】水道配管１からの水がメインバルブ２及び配管３を介して温水タンク４に導入され、ヒータ４ａによって加温され温水とされる。この温水は、配管５から切替弁６、配管７，９又は１１を介してシャワーノズル８、ビデノズル１０又はノズル掃除用吐水口１２に供給される。温水タンク４からの水抜きのために、温水タンク４に配管２０を介して排水弁２１及び排水ポンプ２２がこの順に接続され、排水ポンプ２２の吐出水が配管２３を介して便鉢２３へ流出するように構成されている。ストップスイッチ３３を押すと、まずメインバルブ２が閉弁し、次いで排水弁２１が開弁すると共に、切替弁６が閉弁動作する。排水弁２１が開弁すると、温水タンク４内の内圧が速やかに低下するので、切替弁６はスムーズに動作する。【選択図】図１
2008115559.tif 000002
【特許請求の範囲】
【請求項１】
水の供給及び停止を切り替えるためのメインバルブと、
該メインバルブからの水を受け入れて加温するための温水タンクと、
該温水タンクからの温水の供給先を切り替えるための切替弁と、
該切替弁から温水が供給される洗浄ノズルと、
該温水タンク内の水を抜くための排水路と、
該排水路に設けられた排水弁と
該メインバルブ、切替弁及び排水弁を制御する手段と
を有し、該制御手段によってメインバルブが開とされると共に、切替弁によって温水タンク内と洗浄ノズルとが連通されることにより洗浄が開始し、メインバルブが閉とされた後、切替弁によって温水タンク内と洗浄ノズルとが遮断されることによって洗浄が停止する温水洗浄装置において、
該制御手段は、洗浄停止時に、メインバルブの閉弁後、所定時間だけ前記排水弁を開弁させることを特徴とする温水洗浄装置。
【請求項２】
請求項1において、前記所定時間は、前記メインバルブの閉弁後から前記切替弁の切替動作終了までの時間であることを特徴とする温水洗浄装置。
【発明の詳細な説明】
【技術分野】
【０００１】
本発明は、便器に設置され、人体臀部を温水で洗浄するための温水洗浄装置に係り、特に温水タンクからの水抜き機構を有する温水洗浄装置に関する。
【背景技術】
【０００２】
便器に設置される温水洗浄装置の従来の一例について第３図及び第４図を参照して説明する。なお、第３図は従来の温水洗浄装置の水回路図、第４図は、その弁の動作を説明するタイミングチャートである。
【０００３】
水道配管１からの水がメインバルブ２及び配管３を介して温水タンク４に導入され、ヒータ４ａによって加温されて温水とされる。この温水は、配管５から切替弁６、配管７，９又は１１を介してシャワーノズル８、ビデノズル１０又はノズル掃除用吐水口１２に供給される。各ノズル８，１０は、温水が供給されると、ノズル本体８ａ、１０ａが前進し、その先端から温水を人体臀部に向けて噴出されるよう構成されている。ノズル掃除用吐水口１２は、ノズル本体８ａ、１０ａに向かって温水を流出させ、付着物を洗い落として掃除をするためのものである。
【０００４】
切替弁６は、配管５と、配管７，９，１１のいずれかを連通させる流結選択と、配管５とすべての配管７，９，１１との連通を遮断する閉弁状態とを切り替えるよう構成されている。
【０００５】
この温水洗浄装置を長期にわたって使用しない場合や、寒冷地用温水洗浄装置のために、温水タンク４には水抜き用の配管１３が接続され、この配管１３に水抜き弁１４が設けられている。水抜き弁１４を開とすると、温水タンク４内の水が配管１３の末端から便鉢へ排出される。
【０００６】
なお、温水タンクから水抜き管を介して便器に水抜きすることは特開平９−６００８５号に記載されている。この水抜きにポンプを利用することもある（特開平９−１１９１５９号）。
【特許文献１】特開平９−６００８５号
【特許文献２】特開平９−１１９１５９号
【発明の開示】
【発明が解決しようとする課題】
【０００７】
第３図に示した、温水タンク４の上流側にメインバルブ２を設け、下流側に切替弁６を設けた温水洗浄装置にあっては、第４図の通り、洗浄開始時には、まず切替弁６がシャワーノズル８又はビデノズル１０への連通状態とされ、次いでメインバルブ２が開とされる（なお、先に捨て水を行うこともある。）。これは、メインバルブ２を先に開にすると、温水タンク４や切替弁６に大きな水圧がかかり、タンクの耐久性を損ねたり、切替弁６が動作しにくくなったりするためである。なお、切替弁６としてディスク弁などの弁体摺動型の弁装置を採用した場合、高い水圧が１次側からかかると、弁体同士が強く押し付けられ、弁体がスムーズに動かなくなる。
【０００８】
洗浄停止時には、まずメインバルブ２が閉弁され、次いで切替弁６が遮断状態とされる。
【０００９】
この場合、温水タンク４内の内圧は、メインバルブ２の閉弁後、徐々に低下する。切替弁６は、この温水タンク４の内圧が十分に低下するまで開とされ、その後、閉弁される。
【００１０】
このように従来はメインバルブ２の閉弁時に温水タンク４の内圧が徐々に低下する。そのため、内圧がまだ高いうちに切替弁６を切り替え動作させるような場合（例えば、シャワー洗浄（おしり洗浄）後、直ちにビデ洗浄する場合や、ノズル掃除後、直ちにシャワー洗浄又はビデ洗浄する場合など）には、切替弁６に温水タンク４内の残圧が作用し、切替弁６がスムーズに動作しなくなるおそれがある。
【００１１】
本発明は、上記従来の問題点を解決し、温水タンク内の内圧を速やかに低下させることができ、切替弁がスムーズに動作する温水洗浄装置を提供することを目的とする。
【課題を解決するための手段】
【００１２】
本発明の温水洗浄装置は、水の供給及び停止を切り替えるためのメインバルブと、該メインバルブからの水を受け入れて加温するための温水タンクと、該温水タンクからの温水の供給先を切り替えるための切替弁と、該切替弁から温水が供給される洗浄ノズルと、該温水タンク内の水を抜くための排水路と、該排水路に設けられた排水弁と該メインバルブ、切替弁及び排水弁を制御する手段とを有し、該制御手段によってメインバルブが開とされると共に、切替弁によって温水タンク内と洗浄ノズルとが連通されることにより洗浄が開始し、メインバルブが閉とされた後、切替弁によって温水タンク内と洗浄ノズルとが遮断されることによって洗浄が停止する温水洗浄装置において、該制御手段は、洗浄停止時に、メインバルブの閉弁後、所定時間だけ前記排水弁を開弁させることを特徴とするものである。
【００１３】
この所定時間は、前記メインバルブの閉弁後から前記切替弁の切り替え動作終了までの時間であることが好ましい。
【発明の効果】
【００１４】
かかる本発明の温水洗浄装置によると、洗浄停止に際し、メインバルブが閉弁すると、所定時間だけ排水弁が開弁することにより、温水タンク内の内圧が速やかに低下する。従って、切替弁が常にスムーズに動作するようになる。
【発明を実施するための最良の形態】
【００１５】
以下、第１図及び第２図を参照して説明する。第１図は実施の形態に係る温水洗浄装置の水回路図、第２図はそのタイミングチャートである。
【００１６】
この実施の形態においても、水道配管１からの水がメインバルブ２及び配管３を介して温水タンク４に導入され、ヒータ４ａによって加温され温水とされる。この温水は、配管５から切替弁６、配管７，９又は１１を介してシャワーノズル８、ビデノズル１０又はノズル掃除用吐水口１２に供給される。
【００１７】
この実施の形態では、温水タンク４からの水抜きのために、温水タンク４に配管２０を介して排水弁２１及び排水ポンプ２２がこの順に接続され、排水ポンプ２２の吐出水が配管２３を介して便鉢２３へ流出するように構成されている。切替弁６としてはモータ駆動式のディスク弁が用いられている。
【００１８】
メインバルブ２、切替弁６、排水弁２１及び排水ポンプ２２を制御するための制御器３０には、リモコン又は便器本体操作盤（図示略）に設置されたシャワースイッチ３１、ビデスイッチ３２、ストップスイッチ３３、水捨てスイッチ３４、ノズル掃除スイッチ３５から信号が入力される。
【００１９】
第２図の通り、シャワースイッチ３１又はビデスイッチ３２を押すと、切替弁６が配管５と配管７又は９とを連通し、次いでメインバルブ２が開弁し、臀部洗浄が開弁される。メインバルブ２の開弁に伴って、温水タンク４の内圧が上昇する。
【００２０】
ストップスイッチ３３を押すと、まずメインバルブ２が閉弁し、次いで排水弁２１が開弁すると共に、切替弁６が閉弁動作する。排水弁２１が開弁すると、温水タンク４内の内圧が速やかに低下するので、切替弁６はスムーズに動作する。切替弁６が遮断状態になると、排水弁２１が閉弁する。
【００２１】
なお、ノズル掃除スイッチ３５を押したときも、同様に切替弁６が配管５と配管１１とを連通した後、メインバルブ２が開となる。所定時間が経過したりストップスイッチ３３が押されたりすると、まずメインバルブ２が閉弁し、次いで排水弁２１が開弁すると共に切替弁６が遮断動作する。排水弁２１は、切替弁６が遮断状態になると閉弁する。
【００２２】
水捨てスイッチ３４を押すと、排水弁２１が開弁すると共に、排水ポンプ２２が作動し、温水タンク４から水抜きが行われる。水抜きが終了すると、温水タンク４の水位センサによって水抜き完了が検知されるので、排水弁２１を閉弁させると共に、排水ポンプ２２を停止させる。
【００２３】
このように、実施の形態によると、メインバルブ２を閉弁させた後、直ちに排水弁２１を開弁させて温水タンク４内の残圧を低下させるので、切替弁６の動作が常にスムーズに行われるようになる。
【００２４】
上記実施の形態では、温水タンク４の内圧を低下させるときに切替弁６の切替動作終了まで排水弁２１を開弁させるようにしているが、開弁時間はそれよりも若干短くても、また長くてもよい。
【００２５】
上記実施の形態は本発明の一例であり、本発明は上記以外の形態をもとりうる。
【図面の簡単な説明】
【００２６】
【図１】実施の形態に係る温水洗浄装置の水回路図である。
【図２】図１の温水洗浄装置のタイミングチャートである。
【図３】従来例の温水洗浄装置の水回路図である。
【図４】図３の温水洗浄装置のタイミングチャートである。
【符号の説明】
【００２７】
２  メインバルブ
４  温水タンク
６  切替弁
８  シャワーノズル
１０  ビデノズル
２１  排水弁
２２  排水ポンプ
【図１】
2008115559.tif 000003
【図２】
2008115559.tif 000004
【図３】
2008115559.tif 000005
【図４】
2008115559.tif 000006